(57)【要約】【課題】使用者による作業性をより向上させられるシャワーパンを提供すること。【解決手段】底面部１０と、底面部１０の周縁から起立する側壁部３０と、を備えるシャワーパン１であって、側壁部３０は、側壁部３０の一部が切り欠かれた形状に形成された入口部３４１、及び側壁部３０における入口部３４１が形成された部分に連続するように設けられ、側壁部３０の上端部の位置が入口部３４１に向かって徐々に低くなるように、かつ、下方に凹となるように湾曲した形状に形成された湾曲壁部３４２を有する入口壁部３４を備える。【選択図】図１
2017086147.tif 000002
【特許請求の範囲】
【請求項１】
底面部と、
前記底面部の周縁から起立する側壁部と、を備えるシャワーパンであって、
前記側壁部は、
該側壁部の一部が切り欠かれた形状に形成された入口部、及び該側壁部における前記入口部が形成された部分に連続するように設けられ、該側壁部の上端部の位置が前記入口部に向かって徐々に低くなるように、かつ、下方に凹となるように湾曲した形状に形成された湾曲壁部を有する入口壁部を備えるシャワーパン。
【請求項２】
前記入口部は、前記入口壁部における一端側に配置され、
前記入口壁部は、上面視において、前記入口部側の端部が他端部よりも内側に位置するように、かつ、外方に凸となるように湾曲した形状に形成される請求項１に記載のシャワーパン。
【請求項３】
前記側壁部は、
前記入口壁部における前記入口部が配置された側に配置され、シャワー装置が取り付けられる第１側面壁部を有し、
前記入口壁部は、前記入口部よりも第１側面壁部側に配置される遮蔽部を更に備える請求項２に記載のシャワーパン。
【請求項４】
前記入口部の手前側に配置されるステップ部を更に備える請求項１〜３のいずれかに記載のシャワーパン。
【請求項５】
前記入口部の下端部の高さは、前記底面部よりも高い位置に位置する請求項１〜４に記載のシャワーパン。
【発明の詳細な説明】
【技術分野】
【０００１】
本発明は、シャワーパンに関する。
【背景技術】
【０００２】
従来、保育士等の使用者が、幼稚園等で保育する幼児の身体を洗うために、シャワーパンが使用されている。このようなシャワーパンとして、底面部と、この底面部の周縁から上方に延出する側壁と、この側壁に取り付けられた水栓及びシャワーと、側壁に取り付けられた手摺と、を備えるシャワーパンが提案されている（例えば、特許文献１参照）。
【先行技術文献】
【特許文献】
【０００３】
【特許文献１】特開２００９−７２５３４号公報
【発明の概要】
【発明が解決しようとする課題】
【０００４】
特許文献１で提案されたシャワーパンでは、出入り口が設けられる側壁の高さを、他の側壁よりも低く構成することで、シャワーパンの内部に立たせた幼児の身体をシャワーパンの外部から使用者が保持しやすくしている。
ここで、シャワーパンの内部に立たせた幼児の身体を洗う等する場合には、使用者は、姿勢を低くした状態で作業をすることとなる。そのため、出入口が設けられた側壁の高さを、単に他の側壁よりも低く構成しても使用者による作業性を十分に向上させることはできない。
【０００５】
従って、本発明は、使用者による作業性をより向上させられるシャワーパンを提供することを目的とする。
【課題を解決するための手段】
【０００６】
本発明は、底面部と、前記底面部の周縁から起立する側壁部と、を備えるシャワーパンであって、前記側壁部は、該側壁部の一部が切り欠かれた形状に形成された入口部、及び該側壁部における前記入口部が形成された部分に連続するように設けられ、該側壁部の上端部の位置が前記入口部に向かって徐々に低くなるように、かつ、下方に凹となるように湾曲した形状に形成された湾曲壁部を有する入口壁部を備えるシャワーパンに関する。
【０００７】
また、前記入口部は、前記入口壁部における一端側に配置され、前記入口壁部は、上面視において、前記入口部側の端部が他端部よりも内側に位置するように、かつ、外方に凸となるように湾曲した形状に形成されることが好ましい。
【０００８】
また、前記側壁部は、前記入口壁部における前記入口部が配置された側に配置され、シャワー装置が取り付けられる第１側面壁部を有し、前記入口壁部は、前記入口部よりも第１側面壁部側に配置される遮蔽部を更に備えることが好ましい。
【０００９】
また、シャワーパンは、前記入口部の手前側に配置されるステップ部を更に備えることが好ましい。
【００１０】
また、前記入口部の下端部の高さは、前記底面部よりも高い位置に位置することが好ましい。
【発明の効果】
【００１１】
本発明のシャワーパンによれば、使用者による作業性をより向上させられる。
【図面の簡単な説明】
【００１２】
【図１】本発明の一実施形態に係るシャワーパンを示す斜視図である。
【図２】図１に示すシャワーパンの上面図である。
【図３】図１に示すシャワーパンの正面図である。
【図４】図１に示すシャワーパンの使用状態を示す図であり、幼児がシャワーパンの内部に入る状態を示す図である。
【図５】図１に示すシャワーパンの使用状態を示す図であり、シャワーパンの内部に立たせた幼児の身体を使用者が洗っている状態を示す図である。
【発明を実施するための形態】
【００１３】
以下、本発明のシャワーパンの好ましい一実施形態につき図面を参照しながら説明する。本実施形態のシャワーパン１は、保育士等の使用者が、幼稚園等で保育する幼児の身体を洗うために用いられる。このシャワーパン１は、図１〜図３に示すように、底面部１０と、ステップ部２０と、側壁部３０と、シャワー装置４０と、手摺５０と、を備える。
【００１４】
底面部１０は、図２に示すように、上面視において、矩形形状の一の長辺及び一の短辺の一部が切り欠かれた形状に形成される。より具体的には、底面部１０における上面視において切り欠かれた部分において、長辺の一端部Ａの位置は、他端部Ｂの位置よりも内側に位置している。また、この切り欠かれた部分は、他端部Ｂから一端部Ａに向かって外方に凸となるように湾曲した後、略直線状に延びている。
【００１５】
底面部１０は、シャワーパン１において幼児が立つ洗い場を構成する。底面部１０は、図３に示すように、シャワーパン１が設置される床面よりも所定の高さ（例えば、１０ｃｍ〜３０ｃｍ）高い位置に配置される。底面部１０における長辺方向ＬＤの一端側、かつ、短辺方向ＷＤの一端側（奥側）には、排水口１１が形成される。
【００１６】
ステップ部２０は、底面部１０において、矩形形状から切り欠かれた部分に対応する位置に配置される。ステップ部２０は、シャワーパン１を利用する幼児が底面部１０に入る場合にステップとして用いられる。また、ステップ部２０は、シャワーパン１の内部に立った幼児の身体を使用者が洗う場合等に、使用者のひざ立てとしても用いられる。ステップ部２０は、底面部１０の高さと同じか、底面部１０よりも低い位置に配置される。本実施形態では、ステップ部２０は、底面部１０よりも低い位置に配置される。
【００１７】
側壁部３０は、底面部１０の周縁から起立して配置される。本実施形態では、側壁部３０は、奥壁部３１と、第１側面壁部３２と、第２側面壁部３３と、入口壁部３４と、を備える。
【００１８】
奥壁部３１は、底面部１０の切り欠かれていない側の長辺から起立する。
第１側面壁部３２は、一部が切り欠かれた側の短辺から起立する。本実施形態では、第１側面壁部３２は、図１及び図２に示すように、ステップ部２０における底面部１０の短辺と連続する側縁側まで連続して延びて形成される。言い換えれば、第１側面壁部３２は、底面部１０の側縁（短辺）及びステップ部２０の側縁から起立して形成される。
第２側面壁部３３は、切り欠かれていない側の短辺から起立する。
【００１９】
これら奥壁部３１、第１側面壁部３２及び第２側面壁部３３は、底面部１０に対して略垂直に延びて形成される。また、奥壁部３１、第１側面壁部３２及び第２側面壁部３３は、同一の高さに形成される。
【００２０】
入口壁部３４は、底面部１０の切り欠かれた側の長辺から起立する。入口壁部３４は、奥壁部３１、第１側面壁部３２及び第２側面壁部３３よりも低い高さに形成される。本実施形態では、入口壁部３４は、入口部３４１と、湾曲壁部３４２と、遮蔽部３４３と、を備える。
【００２１】
入口部３４１は、側壁部３０（入口壁部３４）の一部が高さ方向に大きく切り欠かれた形状に形成される。入口部３４１は、入口壁部３４における長辺方向ＬＤの一端側（第１側面壁部３２側）に配置される。本実施形態では、入口部３４１は、ステップ部２０の奥側に配置される（言い換えれば、ステップ部２０は、入口部３４１の手前側に配置される）。
図２に示すように、入口部３４１が形成された部分の入口壁部３４の高さＨ３（入口部３４１の下端部の高さＨ３）は、底面部１０の高さＨ１及びステップ部２０の高さＨ２よりも高く形成される。
入口部３４１が形成された部分の入口壁部３４の高さＨ３は、シャワーパン１の内部に入る幼児の足を底面部１０に踏み入れやすくする観点から、ステップ部２０の高さＨ２との差が５ｃｍ〜１５ｃｍであることが好ましい。また、底面部１０から外部に水が溢れることを防ぐ観点から、入口部３４１が形成された部分の入口壁部３４の高さＨ３と底面部１０の高さＨ１との差は、５ｃｍ〜１５ｃｍであることが好ましい。
【００２２】
湾曲壁部３４２は、底面部１０の長辺方向ＬＤにおける入口部３４１よりも他端側（第２側面壁部３３側）に配置される。湾曲壁部３４２は、一端側が入口部３４１に連続するように設けられ、他端側が第２側面壁部３３に連続するように設けられる。より詳細には、湾曲壁部３４２は、第２側面壁部３３側の端部から入口部３４１に向かって徐々に高さが低くなるように、かつ、上端部の形状が下方に凹となるように湾曲した形状に形成される。
【００２３】
言い換えれば、本実施形態においては、図３に示すように、側面視（正面視）における入口壁部３４は、湾曲壁部３４２から入口部３４１に亘って連続的に、上端部が下方に凹となるように湾曲した形状に形成されている。
また、上面視における入口壁部３４（湾曲壁部３４２）の形状は、図２に示すように、入口部３４１側の端部が第２側面壁部３３側の端部（他端部）よりも内側（奥壁部３１側）に位置するように、かつ、外方に凸となるように湾曲した形状に形成される。
【００２４】
遮蔽部３４３は、入口部３４１よりも第１側面壁部３２側に配置される。図３に示すように、遮蔽部３４３の高さＨ４は、入口部３４１の下端部の高さＨ３よりも高く、第１側面壁部３２の高さＨ５よりも低く形成される。遮蔽部３４３の高さＨ４は、シャワーパン１の内部に入る幼児が底面部１０に足を踏み入れるときに手をかけやすいようにする観点から、好ましくは、ステップ部２０の高さＨ２よりも５０ｃｍ〜６０ｃｍ高い高さに設定される。また、遮蔽部３４３の入口部３４１側の側面は、略垂直面に形成される。遮蔽部３４３の第１側面壁部３２側の端部は、第１側面壁部３２に接続される。
【００２５】
シャワー装置４０は、第１側面壁部３２に取り付けられる。このシャワー装置４０は、水栓４１と、ホース部４２と、シャワーヘッド４３と、シャワー固定部４４と、を備える。
【００２６】
水栓４１は、第１側面壁部３２の内面の上部に取り付けられる。水栓４１には、給水配管（図示せず）が接続され、この給水配管から水（又はお湯）が供給される。水栓４１の取り付け位置は、シャワーパン１の内部に入った幼児の身体を水栓４１に触れにくくする観点から、底面部１０よりも１００ｃｍ〜１１０ｃｍ高い位置であることが好ましい。
ホース部４２は、一端部が水栓４１に接続され、水栓４１から供給される水を流通させる。
【００２７】
シャワーヘッド４３は、ホース部４２の他端部に接続される。シャワーヘッド４３は、ホース部４２から供給された水を吐出する。
シャワー固定部４４は、第１側面壁部３２の内面における水栓４１よりも低い位置に取り付けられる。シャワー固定部４４は、シャワーヘッド４３を支持し、シャワーヘッド４３を第１側面壁部３２に固定する。シャワー固定部４４の取り付け位置は、シャワーパン１の使用者がひざをステップ部２０に立てた姿勢においてシャワーヘッド４３を好適に操作できるようにする観点から、底面部１０よりも４５ｃｍ〜５５ｃｍ高い位置であることが好ましい。
【００２８】
手摺５０は、奥壁部３１の内面及び第２側面壁部３３の内面に取り付けられる。手摺５０は、奥壁部３１から所定距離（例えば、１０ｃｍ）離間した位置に、水平方向に延びて配置される奥壁側手摺部５１と、第２側面壁部３３から所定距離（例えば、１０ｃｍ）離間した位置に、水平方向に延びて配置される側面壁側手摺部５２と、奥壁側手摺部５１及び側面壁側手摺部５２をそれぞれ奥壁部３１及び第２側面壁部３３に固定する複数の手摺固定部５３と、を備える。
本実施形態では、奥壁側手摺部５１及び側面壁側手摺部５２は、一体的に形成される。
手摺５０は、例えば、底面部１０から５０ｃｍ〜６０ｃｍの高さに取り付けられる。
【００２９】
以上のシャワーパン１は、例えば、ハンドレイアップ成形された繊維強化プラスチック（ＦＲＰ）により底面部１０、ステップ部２０及び側壁部３０を構成し、その後、側壁部３０にシャワー装置４０及び手摺５０等を取り付けることで製造される。
【００３０】
次に、図４及び図５を参照しながら、シャワーパン１の使用方法の一例につき説明する。尚、以下に説明する「使用者」とは、シャワーパン１を使用する保育士等である。また、「幼児」とは、１歳から小学校就学の始期に達する程度までの子供を指す。
【００３１】
まず、図４を参照し、使用者Ｔが、幼児Ｉをシャワーパン１の底面部１０に移動させる方法について説明する。
【００３２】
幼児Ｉは、使用者Ｔ（図５参照）の誘導に従って、シャワーパン１の外部から、ステップ部２０に上り、入口部３４１をまたぎ、底面部１０に移動する。ここで、幼児Ｉは、遮蔽部３４３に手をかけて入口部３４１をまたぐことができる。
【００３３】
ここで、ステップ部２０を、底面部１０よりも低く形成した場合、幼児Ｉは、シャワーパン１の外部から底面部１０に移動するまでの一連の動作を、２段の階段を上るように段階的に行える。
【００３４】
底面部１０の内部に立った幼児Ｉは、手摺５０につかまりながら、使用者Ｔの指示に従い、所望の位置に移動できる。
【００３５】
次に、図５を参照し、使用者Ｔが、底面部１０に立った幼児Ｉを洗う方法について説明する。
まず、使用者Ｔは、片ひざ（図５では右ひざ）をステップ部２０についた状態で、片手（ここでは右手）でシャワーヘッド４３を持って水を幼児Ｉにかけながら、もう一方の手（ここでは左手）で幼児Ｉの身体を洗う。
【００３６】
ここで、本実施形態では、入口壁部３４を、入口部３４１と、この入口部３４１に連続するように設けられる湾曲壁部３４２と、を含んで構成し、この湾曲壁部３４２を、上端部の位置が入口部３４１に向かって徐々に低くなるように、かつ、上端部の形状が下方に凹となるように湾曲した形状に形成した。これにより、姿勢を低くした状態においても、使用者Ｔは、湾曲壁部３４２により水はねを防ぎつつ、下方に凸に湾曲した形状の湾曲壁部３４２を通じて底面部１０に立つ幼児に容易にアクセスできるので、使用者Ｔによる作業性をより向上させられる。
【００３７】
また、入口部３４１を、入口壁部３４における長辺方向ＬＤの一端側に配置し、他端側に湾曲壁部３４２を配置した。また、湾曲壁部３４２を、上面視において、入口部３４１側の端部Ａが他端部Ｂよりも内側に位置するように、かつ、外方に凸となるように湾曲した形状に形成した。これにより、入口部３４１が配置された側と反対側（湾曲壁部３４２が配置された側）において、底面部１０の面積を広く確保させられる。よって、幼児Ｉを湾曲壁部３４２が配置された側に立たせることで、底面部１０の広いスペースの部分を利用して幼児の身体を洗えるので、使用者Ｔによる作業性をより向上させられる。
【００３８】
また、シャワーパン１を、入口部３４１の手前側に配置されるステップ部２０を含んで構成した。これにより、幼児Ｉがシャワーパン１の外部から底面部１０に移動する場合に、２段の階段を上るように段階的に移動させられる。また、ステップ部２０に使用者Ｔの片ひざをつかせられるため、シャワーパン１の内部に立った幼児Ｉの身体を洗う使用者Ｔの姿勢を保持しやすくできる。更に、ステップ部２０に片ひざをついた姿勢をとることで、使用者Ｔと幼児Ｉとの目線の高さを近くできる共に、使用者Ｔを幼児Ｉにより近づいた位置に位置させられるため、幼児Ｉに安心感を与えられる。
【００３９】
また、側壁部３０を、入口壁部３４における入口部３４１が配置された側に配置され、シャワー装置４０が取り付けられる第１側面壁部３２を含んで構成し、入口壁部３４を、入口部３４１よりも第１側面壁部３２側に配置される遮蔽部３４３を含んで構成した。これにより、遮蔽部３４３をシャワー装置４０が取り付けられた第１側面壁部３２側に配置することで、シャワー装置４０から吐出された水がシャワーパン１の外部にはね出してしまうことを防げる。また、幼児Ｉがシャワーパン１の内部（底面部１０）に入る場合に、遮蔽部３４３に手をかけて入口部３４１をまたがせることができる。
【００４０】
また、入口部３４１の下端部を、底面部１０よりも高い位置に位置させた。これにより、底面部１０からシャワーパン１の外部に水が溢れることを防げる。
【００４１】
また、水栓４１を、第１側面壁部３２の内面の上部に取り付けた。これにより、シャワーパン１の内部に入った幼児の身体を水栓４１に触れにくくできるので、シャワーパン１の安全性を向上させられる。
【００４２】
また、シャワー固定部４４を、第１側面壁部３２の内面における水栓４１よりも低い位置に取り付けた。これにより、シャワーパン１の使用者Ｔに、ひざをステップ部２０に立てた姿勢においてシャワーヘッド４３を好適に操作させられるので、使用者Ｔによる作業性を更に向上させられる。
【００４３】
以上、本発明の好ましい一実施形態について説明したが、本発明は、上述した実施形態に制限されるものではなく、適宜変更が可能である。
例えば、本実施形態では、ステップ部２０の高さＨ２を、底面部１０の高さＨ１よりも低く構成したが、これに限らない。即ち、ステップ部の高さを底面部１０の高さと同じ高さに構成してもよい。
【符号の説明】
【００４４】
１  シャワーパン
１０  底面部
２０  ステップ部
３０  側壁部
３２  第１側面壁部
３４  入口壁部
４０  シャワー装置
３４１  入口部
３４２  湾曲壁部
３４３  遮蔽部
【図１】
2017086147.tif 000003
【図２】
2017086147.tif 000004
【図３】
2017086147.tif 000005
【図４】
2017086147.tif 000006
【図５】
2017086147.tif 000007